(57)【要約】      （修正有）【課題】優れた接合性を有すると共に吸水性ポリマーの漏れが防止された吸水性シートの提供。【解決手段】不織布から構成された２つの表面層２，３と、２つの表面層２，３の間に配置され、吸水性ポリマーを含有する吸水性ポリマー層４とが積層されてなり、吸水性シート１は、帯状に延びる接合領域１０を備え、各接合領域１０は２つの表面層２，３及び吸水性ポリマー層４が接合された接合部１１と、２つの表面層２，３及び吸水性ポリマー層４が接合されていない非接合部１２とからなり、各接合領域１０において、接合領域１０全体の面積に対する接合部１１の面積が７５％以下である吸水性シート１【選択図】図２
2020019254.tif 000002
【特許請求の範囲】
【請求項１】
不織布から構成された２つの表面層と、２つの表面層の間に配置され、吸水性ポリマーを含有する吸水性ポリマー層とが積層された吸水性シートであって、帯状に延びる接合領域を備え、各接合領域は２つの表面層及び吸水性ポリマー層が接合された接合部と、２つの表面層及び吸水性ポリマー層が接合されていない非接合部とからなり、各接合領域において、接合領域全体の面積に対する接合部の面積が７５％以下である吸水性シート。
【請求項２】
前記接合部が複数の線、点、又はそれらの組み合わせからなる繰り返し部分を備える請求項１に記載の吸水性シート。
【請求項３】
接合領域の長手方向のいずれの位置でも、長手方向に対して垂直方向の少なくとも１箇所に接合部があることを特徴とする請求項１又は２に記載の吸水性シート。
【請求項４】
接合領域の長手方向に沿って接合部と非接合部とが交互に形成されている請求項１〜３のいずれか一項に記載の吸水性シート。
【請求項５】
前記接合部及び前記非接合部が前記吸水性シートの幅方向に対して角度をなしている請求項４に記載の吸水性シート。
【請求項６】
接合部のピッチが０．４〜３０ｍｍである請求項３又は４に記載の吸水性シート。
【請求項７】
接合部の幅が０．２〜５ｍｍであり、非接合部の幅が０．２〜２９．８ｍｍであり、非接合部の幅に対する接合部の幅の比が０．０１〜３である請求項３〜５のいずれか一項に記載の吸水性シート。
【請求項８】
前記接合領域が、互いに離間して一直線状に並んだ複数の点の配列からなる接合部と、前記接合部に対して略平行な略直線状の非接合部とが交互に形成されたものである請求項１〜３のいずれか一項に記載の吸水性シート。
【請求項９】
前記接合部が、接合領域の長手方向に延び、接合領域の長手方向と垂直な方向に互い違いに蛇行している蛇行部分を備えている請求項１〜３のいずれか一項に記載の吸水性シート。
【請求項１０】
略矩形である請求項１〜９のいずれか一項に記載の吸水性シート。
【発明の詳細な説明】
【技術分野】
【０００１】
本発明は、吸水性シートに関し、特には吸水性ポリマーを含有する吸水性シートに関する。
【背景技術】
【０００２】
従来の拭き取り用の吸水性シートとして、例えば、特許文献１には、吸水性ポリマーが含まれ、且つ加熱によって蒸発する水性洗浄剤が含浸されたシート状の拭き取り具が開示されている。この拭き取り具は、吸水性ポリマーを含む繊維シートからなる内層と、内層の両面に配された、繊維シートからなる２枚の表面層との３層構造の積層シートから構成されている。
【先行技術文献】
【特許文献】
【０００３】
【特許文献１】特開２００４−７３５２９
【発明の概要】
【発明が解決しようとする課題】
【０００４】
特許文献１の拭き取り具では、膨潤した吸水性ポリマーの拭き取りシートからの脱落を防止するために、２枚の表面層同士を接合することによって内層の周縁が囲繞されて連続に封止されている。しかしながら、２枚の表面層と吸水性ポリマーを含有する内層とからなる３層の部分と、２枚の表面層同士が接合する２層の部分とを交互に設ける構成は複雑である。
【０００５】
吸水性シートを、２枚の表面層と吸水性ポリマーを含有する内層との３層から構成し、この３層を接合すれば、吸水性シートの製造がより容易になるが、２枚の表面層と吸水性ポリマーを含有する内層との接合面積が大きいと、接合部が脆弱となり、吸水性シートが濡れたときの吸水性ポリマーの膨張により脆弱な部分から吸水性ポリマーが漏れやすくなるという問題がある。
【０００６】
本発明の目的は、２つの表面層と吸水性ポリマー層との接合により、優れた接合性を有すると共に吸水性ポリマーの漏れが防止された吸水性シートを提供することにある。
【課題を解決するための手段】
【０００７】
本発明者らは、上記の目的を達成すべく、２つの表面層と吸水性ポリマー層との接合領域を、特定の構成とすることで、上記の課題を解決できることを見出し、本発明を完成するに至った。
【０００８】
項１．不織布から構成された２つの表面層と、２つの表面層の間に配置され、吸水性ポリマーを含有する吸水性ポリマー層とが積層された吸水性シートであって、帯状に延びる接合領域を備え、各接合領域は２つの表面層及び吸水性ポリマー層が接合された接合部と、２つの表面層及び吸水性ポリマー層が接合されていない非接合部とからなり、各接合領域において、接合領域全体の面積に対する接合部の面積が７５％以下である吸水性シート。
【０００９】
項２．前記接合部が複数の線、点、又はそれらの組み合わせからなる繰り返し部分を備える項１に記載の吸水性シート。  項３．接合領域の長手方向のいずれの位置でも、長手方向に対して垂直方向の少なくとも１箇所に接合部があることを特徴とする項１又は２に記載の吸水性シート。
【００１０】
項４．接合領域の長手方向に沿って接合部と非接合部とが交互に形成されている項１〜３のいずれか一項に記載の吸水性シート。
【００１１】
項５．前記接合部及び前記非接合部が前記吸水性シートの幅方向に対して角度をなしている項４に記載の吸水性シート。
【００１２】
項６．接合部のピッチが０．４〜３０ｍｍである項３又は４に記載の吸水性シート。
【００１３】
項７．接合部の幅が０．２〜５ｍｍであり、非接合部の幅が０．２〜２９．８ｍｍであり、非接合部の幅に対する接合部の幅の比が０．０１〜３である項３〜５のいずれか一項に記載の吸水性シート。
【００１４】
項８．前記接合領域が、互いに離間して一直線状に並んだ複数の点の配列からなる接合部と、前記接合部に対して略平行な略直線状の非接合部とが交互に形成されたものである項１〜３のいずれか一項に記載の吸水性シート。
【００１５】
項９．前記接合部が、接合領域の長手方向に延び、接合領域の長手方向と垂直な方向に互い違いに蛇行している蛇行部分を備えている項１〜３のいずれか一項に記載の吸水性シート。
【００１６】
項１０．略矩形である項１〜９のいずれか一項に記載の吸水性シート。
【発明の効果】
【００１７】
本発明によれば、吸水性ポリマー層と２つの表面層とを接合する簡単な構成で、吸水性ポリマーの移動が抑制される。
【図面の簡単な説明】
【００１８】
【図１】本発明の第１実施形態の吸水性シートの略平面図。
【図２】図１のII−II線における略断面図。
【図３】図１の吸水性シートの接合領域における接合部と非接合部の部分拡大平面図。
【図４】本発明の第２実施形態の吸水性シートの略平面図。
【図５】本発明の第３実施形態の吸水性シートの略平面図。
【図６】図５の吸水性シートの接合領域における接合部と非接合部の部分拡大平面図。
【図７】本発明の第４実施形態の吸水性シートの略平面図。
【図８】本発明の第５実施形態の吸水性シートの略平面図。
【図９】本発明の第６実施形態の吸水性シートの略平面図。
【図１０】本発明の別例の吸水性シートの略断面図。
【発明を実施するための形態】
【００１９】
本発明の第１実施形態の吸水性シートについて図１〜３を参照しながら説明する。
【００２０】
図１及び図２に示すように、本発明の第１実施形態の吸水性シート１は、不織布から構成された２つの表面層２，３と、２つの表面層２，３の間に配置され、吸水性ポリマーを含有する１つ又は複数の吸水性ポリマー層４とが積層された略矩形の積層シートである。表面層２及び表面層３のいずれの面でも、対象の拭き取り、例えば物の拭き取り又は身体の清拭を行うことができる。
【００２１】
また、吸水性ポリマー層４の端部は２つの表面層２，３により封止されている。具体的には、吸水性ポリマー層４の幅が２つの表面層２，３の幅よりも短く、また吸水性ポリマー層４の長さが２つの表面層２，３の長さよりも短くなっており、吸水性ポリマー層４の全体が２つの表面層２，３により囲繞され、吸水性ポリマー層４の周端部が２つの表面層２，３により封止されている。封止は、例えば表面層２，３の２層の超音波融着並びに熱融着等の溶着、接着剤による接着、糸による縫い合わせ、エンボス加工による接合、溶断機による溶断、溶接機による溶接等により行うことができる。吸水性ポリマー層４を２つの表面層２，３により封止することで、吸水性ポリマー層４の吸水性シート１からの脱落が防止される。また、吸水性ポリマー層４を２つの表面層２，３により画成される空間内に閉じ込めて、吸水性ポリマーが吸水性シート１の外に漏出するのを防止することができる。
【００２２】
吸水性シート１は、帯状に延びる一つ又は複数（図１，２では２つ）の接合領域１０を備え、各接合領域１０は２つの表面層２，３及び吸水性ポリマー層４が接合された略直線状の接合部１１と、２つの表面層２，３及び吸水性ポリマー層４が接合されていない略直線状の非接合部１２とからなる。図１から理解されるように、接合部１１と、接合部１１に対して略平行な非接合部１２とが交互に形成されている。接合領域１０を設けることによって、各表面層２，３及び吸水性ポリマー層４の３層が固定され、これにより互いの層間のズレを解消あるいは低減することができる。また、接合領域１０が吸水性シート１の長手方向に沿って吸水性シート１の端から端に渡って略直線状に延びているため、吸水性ポリマー層４中の吸水性ポリマーが、接合領域１０を横切って吸水性シート１の短手方向（すなわち幅方向）へ移動することが防止される。このため、吸水性シート１を濡らして吸水性ポリマーが膨潤した後で、吸水性シート１を絞ったり、吸水性シート１を折り曲げたり、吸水性シート１で対象を拭いたりする等、吸水性シート１に外圧を加えても、拭き取り性能を維持することができる。
【００２３】
ここで、「端から端に渡る」とは、吸水性シート１の全長に渡っていてもよいが、必ずしも吸水性シート１の全長に渡っていなくてもよく、接合領域１０の端が該端に最も近い吸水性シート１の辺から０ｍｍ〜３０ｍｍ離れていることを指す。また「端から端に渡る」は、吸水性シート１の長手方向の端から端に渡る場合と、吸水性シート１の長手方向に垂直な短手方向の端から端に渡る場合を含む。表面層２，３と吸水性ポリマー層４の接合方法は特に限定されず、例えば、超音波融着並びに熱融着等の溶着、接着剤による接着、糸による縫い合わせ、エンボス加工による接合、溶接機による溶接等により行うことができる。表面層２、表面層３、及び表面層２及び表面層３の間の吸水性ポリマー層４を同時に接合することにより、一度に接合することができる。
【００２４】
各接合領域１０において、接合領域１０全体の面積に対する接合部１１の面積は７５％以下である。接合領域１０全体の面積に対する接合部１１の面積が７５％を超えると、接合強度は増大するが、接合箇所の周辺に穴が開くなど部分的に脆弱な部分が生じ、そこから吸水性ポリマー層４の吸水性ポリマーの漏れが生じる。
【００２５】
本実施形態では、接合部１１は、互いに離間して一直線上に設けられた複数の直線であり、各接合部１１は、吸水性シート１の長手方向及び幅方向に対して角度をなしている。複数の接合部１１が、互いに離間した繰り返し部分から構成されているため、表面層２，３及び吸水性ポリマー層４の３層を、非接合部１２を介在させつつ、離散した位置で一様に接合することができる。
【００２６】
また、図３に示すように、接合部１１は吸水性シート１の幅方向に対して角度θ（０＜θ＜９０°）をなしているため、吸水性ポリマー層４の吸水性シート１の幅方向への移動をより効果的に抑制することができる。また、接合部１１は吸水性シート１の幅方向に対して角度をなすと、角度が０度の場合に比べて接合部１１にかかる圧力が均一となり、接合部の脆弱な箇所の発生を抑えられ、吸水性ポリマーの漏れが生じにくい。さらに、接合部１１の繰り返し部分は、接合部１１の形状に対応する突起を周面上に備えたローラーで吸水性シート１吸水性シート１の長手方向に沿って圧着することにより形成できるため、製造容易性の点でも優れている。  本実施形態では、接合領域１０の長手方向のいずれの位置でも、該長手方向に対して垂直方向の少なくとも１箇所に接合部１１がある。つまり、図１に示すように、接合領域１０の長手方向に垂直な仮想線Ａに沿って接合領域１０を見た場合、点Ｐの箇所に接合部１１が存在し、接合領域１０の長手方向に垂直な仮想線Ｂに沿って接合領域１０を見た場合、点Ｑの箇所に接合部１１が存在する。このように、接合領域１０の長手方向に沿ったいずれの位置でも、表面層２，３及び吸水性ポリマー層４の３層が接合されているため、接合がより強固なものとなっている。
【００２７】
接合部１１及び非接合部１２の寸法は特に限定されないが、図３に示すように、接合部１１のピッチＸは０．４〜３０ｍｍであることが、吸水性ポリマーの移動の抑制と、接合性の点で好ましい。また、接合性の点で、接合部１１の幅Ｗ１が０．２〜５ｍｍであることが好ましく、非接合部１２の幅Ｗ２が０．２〜２９．８ｍｍであることが好ましい。接合部１１の幅Ｗ１が０．２ｍｍ以上であると、接合部１１に吸水性ポリマーの膨張により過度な圧力がかかるのを抑制することができる。接合部１１の幅Ｗ１が５ｍｍ以下であると、接合部１１の脆弱性を抑制することができる。非接合部１２の幅Ｗ２が０．２ｍｍ以上であると、接合性が維持され、幅Ｗ２が２９．８ｍｍ以下であると、吸水性ポリマーの移動がより効果的に抑制される。特に、接合部１１の幅Ｗ１が０．２〜５ｍｍであり、非接合部１２の幅Ｗ２が０．２〜２９．８ｍｍであり、かつ非接合部の幅Ｗ２に対する接合部の幅Ｗ１の比が０．０１〜３であることが、吸水性ポリマーの移動の抑制と、接合性の点で好ましい。
【００２８】
以上の構成により、本発明の第一実施形態の吸水性シート１は、２つの表面層２，３と吸水性ポリマー層４とを上記接合領域１０にて接合することにより、優れた接合性を有すると共に吸水性ポリマー層４からの吸水性ポリマーの漏れが防止される。本発明の第１実施形態の吸水性シート１によれば、簡単な構成で、吸水性シート１が乾いた状態でも濡れた状態でも、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００２９】
本発明の第２実施形態の吸水性シートについて図４を参照しながら説明する。第１実施形態の吸水性シート１と同じ符号については説明を省略する。
【００３０】
本発明の第２実施形態の吸水性シート１は、第１実施形態の吸水性シート１と同様、帯状に延びる２つの接合領域１０を備え、各接合領域１０は２つの表面層２，３及び吸水性ポリマー層４が接合された略直線状の接合部１１と、２つの表面層２，３及び吸水性ポリマー層４が接合されていない略直線状の非接合部１２とからなる。接合部１１の延びる方向が、第１実施形態の吸水性シート１における接合部１１とは接合領域１０の長手方向に関して反対であり、接合部１１の幅も第１実施形態の吸水性シート１の接合部１１の幅Ｗ１よりも大きいが、各接合領域１０において、接合領域１０全体の面積に対する接合部１１の面積は７５％以下である。
【００３１】
第２実施形態の吸水性シート１でも、２つの表面層２，３及び吸水性ポリマー層４の優れた接合性を有すると共に吸水性ポリマー層４からの吸水性ポリマーの漏れが防止される。第２実施形態の吸水性シート１によれば、簡単な構成で、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００３２】
本発明の第３実施形態の吸水性シートについて図５及び図６を参照しながら説明する。第１及び第２実施形態の吸水性シート１と同じ符号については説明を省略する。
【００３３】
本発明の第３実施形態の吸水性シート１は、第１実施形態の吸水性シート１と同様、帯状に延びる２つの接合領域１０を備え、各接合領域１０は２つの表面層２，３及び吸水性ポリマー層４が接合された接合部１１と、２つの表面層２，３及び吸水性ポリマー層４が接合されていない非接合部１２とからなる。
【００３４】
各接合部１１は複数の点の配列から構成されている。各接合部１１は、吸水性シート１の長手方向及び幅方向に対して角度をなしている。複数の接合部１１が、互いに離間した繰り返し部分となっているため、表面層２，３及び吸水性ポリマー層４の３層を非接合部１２を介在させつつ、離散した位置で一様に接合できる。また、接合部１１は吸水性シート１の幅方向に対して角度θ（０＜θ＜９０°）をなしているため、吸水性ポリマー層４の幅方向への移動をより効果的に抑制することができる。
【００３５】
本実施形態では、各接合部１１は一直線上に配列された４つの点から構成されている。図６により詳細に示すように、ある接合部１１と、その隣りの接合部１１とは平行であるが、ある接合部１１の一番端の点１１ｘと、その隣りの接合部１１の一番端の点１１ｙとが、吸水性シート１の幅方向における同じ位置にはなく、ずれている。３つの接合部１１ごとに吸水性シート１の幅方向における位置が一致している。
【００３６】
第３実施形態の吸水性シート１でも、２つの表面層２，３及び吸水性ポリマー層４の優れた接合性を有すると共に吸水性ポリマー層４からの吸水性ポリマーの漏れが防止される。第３実施形態の吸水性シート１によれば、簡単な構成で、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００３７】
本発明の第４実施形態の吸水性シートについて図７を参照しながら説明する。第１〜３実施形態の吸水性シート１と同じ符号については説明を省略する。
【００３８】
本発明の第４実施形態の吸水性シート１は、第１実施形態の吸水性シート１と同様、帯状に延びる２つの接合領域１０を備え、各接合領域１０は２つの表面層２，３及び吸水性ポリマー層４が接合された接合部１１と、２つの表面層２，３及び吸水性ポリマー層４が接合されていない非接合部１２とからなる。
【００３９】
本実施形態では、接合部１１は、吸水性シート１の端から端に渡って吸水性シート１の長手方向に連続して延びる蛇行部分１１ａと、蛇行部分１１ａの幅方向の一側に蛇行部分１１ａとは離れてかつ蛇行部分１１ａと平行に設けられた略Ｖ字部分１１ｂと、蛇行部分１１ａの幅方向の他側に蛇行部分１１ａとは離れてかつ蛇行部分１１ａと平行に、略Ｖ字部分１１ｂと互い違いに設けられた略Ｖ字部分１１ｃとを備えている。蛇行部分１１ａは、接合領域１０の長手方向とは垂直な方向に互い違いに蛇行している。非接合部１２は接合領域１０における接合部１１以外の部分である。各接合部１１の蛇行部分１１ａ、略Ｖ字部分１１ｂ、略Ｖ字部分１１ｃは、吸水性シート１の長手方向及び幅方向に対して角度をなしている。蛇行部分１１ａは略Ｓ字の繰り返しが連続しているものとみることができ、接合部１１が、互いに離間した繰り返し部分から形成されているため、表面層２，３及び吸水性ポリマー層４の３層を非接合部１２を介在させつつ、離散した位置で一様に接合できる。また、接合部１１蛇行部分１１ａ、略Ｖ字部分１１ｂ、略Ｖ字部分１１ｃは吸水性シート１の幅方向に対して角度をなしているため、吸水性ポリマー層４の幅方向への移動をより効果的に抑制することができる。
【００４０】
第４実施形態の吸水性シート１でも、２つの表面層２，３及び吸水性ポリマー層４の優れた接合性を有すると共に吸水性ポリマー層４からの吸水性ポリマーの漏れが防止される。第４実施形態の吸水性シート１によれば、簡単な構成で、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００４１】
図８は、本発明の第５実施形態の吸水性シート１である。本実施形態の吸水性シート１は、帯状に延びる２つの接合領域１０を備え、接合領域１０は吸水性シート１の幅方向に沿って吸水性シート１の端から端に渡って略直線状に延びている。このため、吸水性ポリマー層４中の吸水性ポリマーが、接合領域１０を横切って吸水性シート１の長手方向へ移動することが防止される。
【００４２】
各接合部１１は、吸水性シート１の長手方向及び幅方向に対して角度をなしている。複数の接合部１１が、互いに離間した繰り返し部分となっているため、表面層２，３及び吸水性ポリマー層４の３層を非接合部１２を介在させつつ、離散した位置で一様に接合することができる。接合部１１及び非接合部１２の寸法については第１実施形態の吸水性シート１に関して説明した通りである。
【００４３】
本実施形態では、接合領域１０の幅方向のいずれの位置でも、該幅方向に対して垂直方向の少なくとも１箇所に接合部１１がある。接合領域１０の幅方向に沿ったいずれの位置でも、表面層２，３及び吸水性ポリマー層４の３層が接合されているため、接合がより強固なものとなっている。
【００４４】
第５実施形態の吸水性シート１でも、２つの表面層２，３及び吸水性ポリマー層４の優れた接合性を有すると共に吸水性ポリマー層４からの吸水性ポリマーの漏れが防止される。第５実施形態の吸水性シート１によれば、簡単な構成で、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００４５】
図９は、本発明の第６実施形態の吸水性シート１である。本実施形態の吸水性シート１は、吸水性シート１の長手方向に沿って帯状に延びる２つの接合領域１０と、吸水性シート１の幅方向に沿って帯状に延びる２つの接合領域１０とを備えている。この構成は、第１実施形態の吸水性シート１に比べて、吸水性シート１の幅方向にも２つの接合領域１０を設けている点で、接合がより強固なものとなっている。
【００４６】
第６実施形態の吸水性シート１でも、２つの表面層２，３及び吸水性ポリマー層４の優れた接合性を有すると共に吸水性ポリマー層４からの吸水性ポリマーの漏れが防止される。第６実施形態の吸水性シート１によれば、簡単な構成で、吸水性ポリマー層４中の吸水性ポリマーの移動を抑制することができる。さらに、接合部１１が、互いに離間した繰り返し部分から構成されているため、吸水性シート１の製造が容易であると共に、吸水性シート１の拭き取り性能を維持することができる。
【００４７】
上記の本実施形態の吸水性シート１は、水を含ませて使用される乾式シートである。このため、衛生的に長期間保管することができる。また、乾式で軽量であるため、多数量の運搬及び輸送にも適している。吸水性シート１は、使用時に水を含ませることで、吸水性シート１を対象の拭き取りに使用することができる。
【００４８】
また、吸水性ポリマー層４の吸水性ポリマーが水を保持するため、吸水性シート１を、吸水性シート１を適用した身体部位の冷却又は加温に使用することができる。冷却用の吸水性シート１は、例えば乾燥した吸水性シート１を氷水、冷却水、又は水道水等に浸したり、水で濡らした吸水性シート１を冷蔵庫又は冷蔵庫に保存することにより準備でき、加温用の吸水性シート１は、例えば乾燥した吸水性シート１を温水に浸したり、水又は湯で濡らした吸水性シート１を電子レンジで加熱したり、保温庫又は清拭車に入れることにより準備することもできる。
【００４９】
さらには、吸水性シート１に水を含ませることで、吸水性ポリマー層４の吸水性ポリマーが膨張するため、不織布のみから構成したシートと比較して吸水性シート１の厚みが増大すると共にクッション性も増大する。
【００５０】
また、本実施形態の吸水性シート１は使用後に折り畳んで処分することができる。吸水性シート１は使い捨てであるため、衛生的に使用することができる。
【００５１】
次に、吸水性シート１を構成する各層について詳しく説明する。
【００５２】
表面層２，３は不織布から構成されており、不織布を構成する繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維、ポリエチレンテレフタレート／ポリエチレン芯鞘型複合繊維等の合成繊維並びにこれらを親水化処理したもの等が挙げられる。繊維材料は１種又は２種以上を用いることができる。好ましくは、表面層２，３には熱融着に適した繊維材料が使用される。
【００５３】
表面層２，３を構成する繊維シートは、例えば湿式抄造法や、スパンレース法及びエアレイド法等の不織布製造法により製造することができる。表面層２，３を構成する繊維シートの坪量は、吸水性シート１全体の構成にもよるが、風合い又は吸水性ポリマー層の成分の漏出防止等の観点から、それぞれ例えば１０〜１５０ｇ／ｍ2 であり、１５〜１００ｇ／ｍ2 であることが好ましい。
【００５４】
表面層２及び表面層３はそれぞれ一枚に限定されず、例えば１つの吸水性シート１中に複数の表面層２、複数の表面層３、又はこれらの組み合わせを積層させて使用してもよい。複数の表面層２を使用する場合、異種繊維から形成された２層以上の表面層２を重ね合わせてもよいし、同種の繊維から形成された２層以上の表面層２を重ね合わせてもよい。また、複数の表面層２を重ね合わせる部分は、表面層２の全体に限られず、一部の区画のみであってもよい。複数の表面層３の場合も複数の表面層２を使用する場合と同様である。
【００５５】
吸水性ポリマー層４は吸水性ポリマーを含有する層である。吸水性ポリマー層４は、吸水性ポリマーの他に、繊維材料、バインダー等の添加剤をさらに含有してもよい。吸水性ポリマー層４は、繊維材料中に吸水性ポリマーを含有させたシート、繊維材料の上に吸水性ポリマーを分散させて固めたシート、又は繊維状に加工された吸水性ポリマーを含むシートであり得る。
【００５６】
吸水性ポリマー層４に使用される吸水性ポリマーとしては、液体を吸収及び保持できる任意の吸水性ポリマーを使用することができ、具体例としては、デンプンや架橋カルボキシルメチル化セルロース、アクリル酸又はアクリル酸アルカリ金属塩の重合体又は共重合体等、ポリアクリル酸及びその塩並びにポリアクリル酸塩グラフト重合体を挙げることができる。
【００５７】
吸水性ポリマー層４に使用される繊維材料は天然繊維であっても合成繊維であってもよい。天然繊維としてはパルプ、羊毛、コットン等の天然繊維が挙げられる。合成繊維としては、レーヨン及びキュプラ等の再生セルロース繊維、ポリビニルアルコール繊維及びポリアクリロニトリル繊維等の親水性合成繊維、及びポリエチレン繊維、ポリプロピレン繊維、ポリエステル繊維、ポリエチレンテレフタレート繊維、ポリエチレンテレフタレート／ポリエチレン芯鞘型複合繊維等の合成繊維並びにこれらを親水化処理したもの等が挙げられる。繊維材料は１種又は２種以上を用いることができる。
【００５８】
吸水性ポリマー層４を構成する繊維シートは、例えば湿式抄造法や、スパンレース法及びエアレイド法等の不織布製造法により製造することができる。吸水性ポリマー層４を構成する繊維シートの坪量は、吸水性シート１全体の坪量にもよるが、それぞれ例えば２０〜３００ｇ／ｍ2 であり、３０〜２５０ｇ／ｍ2 であることが好ましい。また、吸水性ポリマー層４を構成する繊維シートは、単にパルプやコットン等の繊維を堆積したシートであってもよい。
【００５９】
吸水性ポリマー層４の数は一枚に限定されない。例えば１つの吸水性シート１中に複数の吸水性ポリマー層４を積層させて使用してもよい。複数の吸水性ポリマー層４を使用する場合、異種繊維から形成された２層以上の吸水性ポリマー層４を重ね合わせてもよいし、同種の繊維をから形成された２層以上の吸水性ポリマー層４を重ね合わせてもよい。また、複数の吸水性ポリマー層４を重ね合わせる部分は、吸水性ポリマー層４の全体に限られず、一部の区画のみであってもよい。
【００６０】
吸水性シート１は、香料、保湿剤、抗菌剤、抗炎症剤、虫除け剤、及び清涼パウダーから選択される１つ又は２つ以上の成分をさらに含有してもよい。これらの成分は表面層２、表面層３、吸水性ポリマー層４及びその他の層のいずれに含有されてもよい。
【００６１】
香料は、天然香料でも合成香料でもよく、特に限定されないが、香木、精油、樹脂、ムスク、シベット、カストリウム、アンバーグリス、メントール、レモン、グレープフルーツ、ライム、オレンジ、ベルガモット、バラ、ジャスミン、スズラン、ライラック、バニリン、ヘリオトロピン、クマリン、ベンゾイン、乳香、没薬等が挙げられる。
【００６２】
抗菌剤としては、特に限定されないが、メチルパラベン等が挙げられる。
【００６３】
保湿剤は、軟膏、クリーム、ローション等のいずれの剤形の保湿剤であってもよく、特に限定されないが、軟膏としては、例えば白色ワセリン、亜鉛華軟膏、セラミド、アズノール軟膏、ザーネ軟膏、クリームとしては、例えばウレパール、ケラチナミン、パスタロン（ソフト）、ワイドコール、ヒルドイドクリーム、ローションとしては、例えばヒルドイドローションが挙げられる。
【００６４】
抗炎症剤としては、特に限定されないが、プレドニゾロン、リン酸ベタメタゾンナトリウム、リン酸デキサメタゾンナトリウム等のステロイド系抗炎症薬、並びにアスピリン、メフェナム酸、イブプロフェン、ナプロキセン、チアプロフェン、インドメタシン、ジクロフェナクナトリウム、ロキソプロフェンナトリウム、スリンダク、ピロキシカム等の非ステロイド系抗炎症薬が挙げられる。
【００６５】
虫除け剤としては、特に限定されないが、Ｎ，Ｎ−ジエチル−３−メチルベンズアミド（ＤＥＥＴ）、ｐ−メンタン−３，８−ジオール、ユーカリオイルを初めとするアロマオイル等が挙げられる。
【００６６】
清涼パウダーは、特に限定されないが、水と反応して吸熱反応を起こす冷却物質を含む粉体であり、冷却物質としては糖類、アミノ酸、尿素、無機塩などが挙げられ、粉末としてはタルク、カオリン、雲母、炭酸金属塩、ケイ酸金属塩、クレイ、雲母チタン、オキシ塩化ビスマス、シリカビーズ、プラスチックビーズ、プラスチックパウダー、コーンスターチを初めとする食用粉末等が挙げられる。
【００６７】
以上、本発明の第１〜６実施形態について具体的に説明したが、本発明は、上述の実施形態に限定されるものではなく、本発明の技術的思想に基づく各種の変形が可能である。
・接合領域１０の数は２つや４つに限定されず、１つ、３つ、又は５つ以上であることもできる。
・接合領域１０は第１、２、４〜６実施形態の線の繰り返しからなる接合領域１０や、第３実施形態の点の繰り返し接合領域１０に限られず他の形状、寸法、配置の複数の線、他の形状、寸法、配置の複数の点、又はそれらの組み合わせであることができる。
・第１〜６実施形態において、吸水性ポリマー層４が２つの表面層２，３により囲繞されていなくてもよく、吸水性ポリマー層４中の吸水性ポリマーが吸水性シート１の外に漏出するのを防止する程度に、吸水性ポリマー層４の周端部が表面層２、表面層３と一体化されていればよい。一体化は、表面層２，３及び吸水性ポリマー層４の３層の超音波融着並びに熱融着等の溶着、接着剤による接着、糸による縫い合わせ、エンボス加工による接合、溶断機による溶断、溶接機による溶接等により行うことができる。
・図１０に示すように、上記第１〜６実施形態の吸水性シート１は、表面層２、表面層３、及び吸水性ポリマー層４に加えて、１又は２層以上の追加の層５を備えていてもよい。例えば追加の層５は、表面層３と吸水性ポリマー層４の間に積層された、表面層２と表面層３、並びに表面層３と吸水性ポリマー層４の接着を支援するための熱融着層であってもよい。かかる熱融着層は、例えば熱融着性繊維から構成される。熱融着性繊維としては、例えばポリエチレンやポリプロピレン等のポリオレフイン系樹脂、ポリエチレンテレフタレート等のポリエステル系樹脂、ポリアクリル酸やポリメタクリル酸等のアクリル系樹脂、ポリ塩化ビニル等のビニル系樹脂、ポリアミド系樹脂等、並びにこれらの組み合わせが用いられる。
・吸水性シート１の形状は略矩形に限定されず、拭き取りが可能な他の任意の形状であることができる。
【００６８】
以下に実施例を挙げて本発明をより具体的に説明するが、本発明はこれらに限定されない。
【実施例】
【００６９】
試験例１  吸水性シートの製造
実施例１
（１）表面層の製造
ＡＬ０４５ＴＣＤＰ−Ｈ（金星製紙株式会社製）（繊維成分がパルプ及びポリエチレンテレフタレート／ポリエチレンの芯鞘型複合繊維からなる坪量４５ｇ／ｍ2 のエアレイド不織布）を表面層とした。
（２）吸水性ポリマー層の製造
吸水性ポリマー９ｇ／ｍ2を含有し、パルプ及びバインダーからなる総坪量８９ｇ／ｍ2の不織布をエアレイド法により製造し、吸水性ポリマー層を得た。
（３）吸水性シートの製造
幅２０ｃｍの表面層不織布ロールの上に、幅１７ｃｍの吸水性ポリマー層を長さ２６．５ｃｍに断裁しながら該吸水性ポリマー層の長さ方向に約３．５ｃｍ間隔で配置し、吸水性ポリマー層の上から幅２０ｃｍの表面層不織布ロールを挟み合わせて３層とした。
【００７０】
３層からなるシートの各々を移動装置により移動させ、シートの４辺（周縁）をシートの上方に配置した加熱ローラーによって溶着した。
【００７１】
次に、接合部と非接合部に対応する突出部を円周面上に備えたローラーと、シートの上方に配置した加熱ローラーによって、シートの幅方向の両端の各々から５ｃｍの位置で、幅１ｃｍの領域をシートの移動方向（シートの長さ方向と一致）に沿って溶着し、長手方向に帯状に延びる２本の接合領域を備え、各接合領域に、接合領域の幅方向に対する角度が２４度で幅０．５ｍｍの線状の接合部が４．５ｍｍのピッチで配置された、実施例１の吸水性シートを得た。得られた吸水性シートの接合領域全体の面積に対する接合部の面積は１１％であった。
【００７２】
実施例２
各接合領域に、接合領域の幅方向に対する角度が４５度で幅０．５ｍｍの線状の接合部が１０ｍｍのピッチで配置された以外は実施例１と同様にして、吸水性シートを得た。得られた吸水性シートの接合領域全体の面積に対する接合部の面積は５％であった。
【００７３】
実施例３
各接合領域に、接合領域の幅方向に対する角度が２２度で幅２ｍｍの線状の接合部が４ｍｍのピッチで配置された以外は実施例１と同様にして、吸水性シートを得た。得られた吸水性シートの接合領域全体の面積に対する接合部の面積は５０％であった。
【００７４】
実施例４
各接合領域に、接合領域の幅方向に平行で幅０．５ｍｍの線状の接合部が４．５ｍｍのピッチで配置された以外は実施例１と同様にして、吸水性シートを得た。得られた吸水性シートの接合領域全体の面積に対する接合部の面積は１１％であった。
【００７５】
実施例５
各接合領域に、直径０．５ｍｍの点状の接合部が、接合領域全体の面積に対する接合部の面積が２０％となるように配置された以外は実施例１と同様にして、吸水性シートを得た。
【００７６】
実施例６
第４実施形態の吸水性シート１の接合領域１０と同じパターンとした。接合領域の幅を１０ｍｍとし、接合部の幅を０．５ｍｍとした。ピッチ（パターンの繰り返し単位、蛇行部分１１ａの蛇行の頂点から頂点までの距離）を２０ｍｍとし、蛇行部分１１ａの頂点と略Ｖ字部分１１ｂ（及び略Ｖ字部分１１ｃ）の頂点との間距離を５ｍｍとした。上記接合領域のパターン以外は実施例１と同様にして、吸水性シートを得た。得られた吸水性シートの接合領域全体の面積に対する接合部の面積は１０％であった。
【００７７】
比較例１
各接合領域の全域を接合部とした以外は実施例１と同様にして、吸水性シートを得た。
【００７８】
比較例２
表面層と吸水性ポリマー層との接合を行わないこと以外は実施例１と同様にして、吸水性シートを得た。
【００７９】
試験例２  吸水性シートの評価
（１）接合性の評価
実施例１〜６及び比較例１，２の吸水性シートを、４分間５０℃の水に一定時間浸漬した後、手でせん断方向に一定圧力を加え、表面層と吸水性ポリマー層が剥がれるか否かを検討した。
【００８０】
評価基準は以下の通りである。
【００８１】
◎  強く力を加えても剥がれない
○  強く力を加えると剥がれる
△  弱い力を加えると剥がれる
×  抵抗無く剥がれる
【００８２】
（２）吸収性ポリマー（ＳＡＰ）の漏れの評価
実施例１〜６及び比較例１，２の吸水性シートを４分間５０℃の水に浸けたあと、膨潤した吸水性ポリマーの接合部からの漏れの有無を評価した。
【００８３】
評価基準は以下の通りである。
【００８４】
◎  漏出が見られない
○  稀に漏出が見られる
△  少し漏出が見られる
×  著しい漏出が見られる
【００８５】
【表１】
2020019254.tif 000003
【００８６】
結果、実施例１〜６では比較例１，２と比べて優れた接合性を有すると共に吸水性ポリマーの漏れが防止された吸水性シートが得られた。
【産業上の利用可能性】
【００８７】
本発明の吸水性シートは、拭き取り用シートとして使用することができる。例えば、物を拭き取るための拭き取りシートとして、又は人を清拭するための清拭シートとして、家庭、病院等の医療施設、老人福祉施設、介護施設、総合商業施設、スポーツ施設等の様々な場所で使用することができる。
【符号の説明】
【００８８】
１・・・吸水性シート、２，３…表面層、４…吸水性ポリマー層、１０・・・接合領域、１１・・・接合部、１１ａ・・・蛇行部分、１２・・・非接合部。
【図１】
2020019254.tif 000004
【図２】
2020019254.tif 000005
【図３】
2020019254.tif 000006
【図４】
2020019254.tif 000007
【図５】
2020019254.tif 000008
【図６】
2020019254.tif 000009
【図７】
2020019254.tif 000010
【図８】
2020019254.tif 000011
【図９】
2020019254.tif 000012
【図１０】
2020019254.tif 000013
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
不織布から構成された２つの表面層と、２つの表面層の間に配置され、吸水性ポリマーを含有する吸水性ポリマー層とが積層された吸水性シートであって、帯状に延びる接合領域を備え、各接合領域は２つの表面層及び吸水性ポリマー層が接合された接合部と、２つの表面層及び吸水性ポリマー層が接合されていない非接合部とからなり、各接合領域において、接合領域全体の面積に対する接合部の面積が７５％以下であり、
隣接する接合部が線、点、又はそれらの組み合わせからなる繰り返し部分を備え、
接合領域の長手方向に沿って接合部と非接合部とが交互に形成されている吸水性シート。
【請求項２】
接合領域の長手方向のいずれの位置でも、長手方向に対して垂直方向の少なくとも１箇所に接合部があることを特徴とする請求項１に記載の吸水性シート。
【請求項３】
前記接合部及び前記非接合部が前記吸水性シートの幅方向に対して角度をなしている請求項１に記載の吸水性シート。
【請求項４】
接合部のピッチが０．４〜３０ｍｍである請求項１又は２に記載の吸水性シート。
【請求項５】
接合部の幅が０．２〜５ｍｍであり、非接合部の幅が０．２〜２９．８ｍｍであり、非接合部の幅に対する接合部の幅の比が０．０１〜３である請求項１〜３のいずれか一項に記載の吸水性シート。
【請求項６】
前記接合領域が、互いに離間して一直線状に並んだ複数の点の配列からなる接合部と、前記接合部に対して略平行な略直線状の非接合部とが交互に形成されたものである請求項１又は２に記載の吸水性シート。
【請求項７】
不織布から構成された２つの表面層と、２つの表面層の間に配置され、吸水性ポリマーを含有する吸水性ポリマー層とが積層された吸水性シートであって、帯状に延びる接合領域を備え、各接合領域は２つの表面層及び吸水性ポリマー層が接合された接合部と、２つの表面層及び吸水性ポリマー層が接合されていない非接合部とからなり、各接合領域において、接合領域全体の面積に対する接合部の面積が７５％以下であり、
前記接合部が、
接合領域の長手方向に延び、接合領域の長手方向と垂直な方向に互い違いに蛇行している蛇行部分と、
前記蛇行部分の幅方向の一側に前記蛇行部分とは離れてかつ前記蛇行部分と平行に設けられた、繰り返し部分である複数の略Ｖ字部分と、
前記蛇行部分の幅方向の他側に蛇行部分とは離れてかつ蛇行部分と平行に、前記略Ｖ字部分と互い違いに設けられた、繰り返し部分である複数の略Ｖ字部分と
を備えている吸水性シート。
【請求項８】
略矩形である請求項１〜７のいずれか一項に記載の吸水性シート。
【請求項９】
前記接合領域が、シートの長手方向又は短手方向の端から端に渡って略直線状に延びている請求項８に記載の吸水性シート。
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
不織布から構成された２つの表面層と、２つの表面層の間に配置され、吸水性ポリマーを含有する吸水性ポリマー層とが積層された略矩形の吸水性シートであって、
前記吸水性ポリマー層は、繊維材料中に吸水性ポリマーを含有させたシート又は繊維材料の上に吸水性ポリマーを分散させて固めたシートであり、
前記吸水性シートは、帯状に延びる接合領域を備え、各接合領域は２つの表面層及び吸水性ポリマー層が接合された複数の接合部と、２つの表面層及び吸水性ポリマー層が接合されていない複数の非接合部とからなり、各接合領域において、接合領域全体の面積に対する接合部の面積が７５％以下であり、前記接合領域は吸水性シートの長手方向又は短手方向に延び、
各接合部が線又は複数の点の配列からなり、
接合領域の長手方向に沿って接合部と非接合部とが交互に形成されており、
前記複数の接合部が長手方向及び幅方向に対して同じ方向に０°を超え９０°未満の角度をなしている吸水性シート。
【請求項２】
接合領域の長手方向のいずれの位置でも、長手方向に対して垂直方向の少なくとも１箇所に接合部があることを特徴とする請求項１に記載の吸水性シート。
【請求項３】
接合部のピッチが０．４〜３０ｍｍである請求項１又は２に記載の吸水性シート。
【請求項４】
接合部の幅が０．２〜５ｍｍであり、非接合部の幅が０．２〜２９．８ｍｍであり、非接合部の幅に対する接合部の幅の比が０．０１〜３である請求項１又は２に記載の吸水性シート。
【請求項５】
前記接合領域が、互いに離間して一直線状に並んだ複数の点の配列からなる接合部と、前記接合部に対して略平行な略直線状の非接合部とが交互に形成されたものである請求項１又は２に記載の吸水性シート。
【請求項６】
前記接合領域が、シートの長手方向又は短手方向の端から端に渡って略直線状に延びている請求項１に記載の吸水性シート。
【請求項７】
不織布から構成された２つの表面層と、２つの表面層の間に配置され、吸水性ポリマーを含有する吸水性ポリマー層とが積層された吸水性シートであって、帯状に延びる接合領域を備え、各接合領域は２つの表面層及び吸水性ポリマー層が接合された接合部と、２つの表面層及び吸水性ポリマー層が接合されていない非接合部とからなり、各接合領域において、接合領域全体の面積に対する接合部の面積が７５％以下であり、
前記接合部が、
接合領域の長手方向に延び、接合領域の長手方向と垂直な方向に互い違いに蛇行している蛇行部分と、
前記蛇行部分の幅方向の一側に前記蛇行部分とは離れてかつ前記蛇行部分と平行に設けられた、繰り返し部分である複数の略Ｖ字部分と、
前記蛇行部分の幅方向の他側に蛇行部分とは離れてかつ蛇行部分と平行に、前記略Ｖ字部分と互い違いに設けられた、繰り返し部分である複数の略Ｖ字部分と
を備えている吸水性シート。